(57)【要約】【課題】本発明は、録音しようとする音声レベルの高低に関わらず、最適な状況下で音声データを録音できる音声記録装置を提供する。【解決手段】本実施の形態の音声記録装置は、音声データを記録媒体に記録する第１のモードと、音声データを試聴する第２のモードとを有する音声記録装置であって、一定間隔で音声データのレベルを計測する音声レベル計測手段と、録音レベルを設定する録音レベル設定手段とを備え、前記音声レベル計測手段は、第２のモードで動作している場合に、音声データの音声レベルを計測し、そのピーク値を取得し、前記録音レベル設定手段は、第１のモードで動作しているときに、前記音声レベル計測手段で取得したピーク値に応じて録音レベルを調整して設定する。【選択図】図１
2011205309.tif 000002
【特許請求の範囲】
【請求項１】
少なくとも音声データを試聴する第１のモードと音声データを記録媒体に記録する第２のモードとを有する音声記録装置であって、
音声データを集音するマイクと、
少なくとも第1の操作と第２の操作を行う操作手段と、
前記第１のモードで動作しているときに、前記操作手段で前記第1の操作が行われたら、前記マイクで集音された音声データのレベルを一定間隔で計測し、そのピーク値を取得するする音声レベル計測手段と、
前記音声レベル計測手段で計測されたピーク値を録音レベルに設定する録音レベル設定手段と、
前記操作手段で前記第２の操作が行われたら、前記第２のモードの動作に移行し、前記録音レベル設定手段で設定された録音レベルで音声データを記録する記録手段とを備えることを特徴とする音声記録装置。
【請求項２】
複数のクロックのうちから１つのクロックを選択するクロック変更手段を備え、
前記クロック変更手段は、第１のモードと第２のモードで、異なるクロックを選択することを特徴とする音声記録装置。
【請求項３】
請求項１または２の音声記録装置と、
音声データを再生する再生手段と、前記再生手段で再生された音声データを出力する出力手段とを備えることを特徴とする音声記録再生装置。
【発明の詳細な説明】
【技術分野】
【０００１】
本発明は、音声データを記録する音声記録再生装置に関するものである。
【背景技術】
【０００２】
マイクロホンで集音された音声信号（オーディオ信号）を録音する録音装置が各種普及している。例えば演奏発表会の録音、楽器練習での録音、会議／ミーティング／インタビューのメモとしての録音、習い事の録音、環境音の録音など、多様な録音用途に使用されている。例えば、特許文献１には、マイクロホンにより得られたオーディオ信号に対して信号レベルに応じたゲインコントロール処理を行うことで、過大なレベルの信号入力を抑圧できる入力信号処理装置が開示されている。
【先行技術文献】
【特許文献】
【０００３】
【特許文献１】特開２００５−２１０１８０号公報
【発明の概要】
【発明が解決しようとする課題】
【０００４】
しかしながら、従来の音声記録装置は、入力信号そのもののレベルを制御する必要があり、それを実施する特別な手段も必要となるため、コストアップするとともに、装置の構成そのものも複雑化してしまうという問題があった。さらに、生の音声データをそのまま録音しているわけではないという問題もあった。
【０００５】
そこで、本発明は、上記従来の問題点を解決すべく、マイクロコンピューターで計測した入力信号のレベルを用いて録音レベルをコントロールすることで、マイクで拾った信号をそのまま録音できる音声記録装置を提供することを目的とする。
【課題を解決するための手段】
【０００６】
上記目的を達成するために、本発明の音声記録装置は、少なくとも音声データを試聴する第１のモード（以下、試聴モードという）と音声データを記録媒体に記録する第２のモード（以下、録音モードという）とを有する音声記録装置であって、音声データを集音するマイクと、少なくとも第1の操作と第２の操作を行う操作手段と、前記第１のモードで動作しているときに、前記操作手段で前記第1の操作が行われたら、前記マイクで集音された音声データのレベルを一定間隔で計測し、そのピーク値を取得するする音声レベル計測手段と、前記音声レベル計測手段で計測されたピーク値を録音レベルに設定する録音レベル設定手段と、前記操作手段で前記第２の操作が行われたら、前記第２のモードの動作に移行し、前記録音レベル設定手段で設定された録音レベルで音声データを記録する記録手段とを備えることを特徴とする音声記録装置としたものである。
【０００７】
このような構成をとることにより、実際の音声データのレベルをそのまま録音レベルに利用できるという作用を有する。
【発明の効果】
【０００８】
上記の構成によれば、録音しようとする音声レベルの高低に関わらず、最適な状況下で音声データを録音できる音声記録装置を提供できる。
【図面の簡単な説明】
【０００９】
【図１】本発明の実施の形態にかかる音声記録装置のブロック図
【図２】本発明の実施の形態にかかる音声データ信号の概念図
【図３】本発明の実施の形態にかかる音声記録装置の試聴モードにおける音声レベルピーク値の判定方法を示すフローチャート
【発明を実施するための形態】
【００１０】
以下、本発明の音声記録装置の実施の形態について、図面を参照しながら説明する。なお、本実施の形態では、デジタルＩＣレコーダーを音声記録装置の一例として説明する。
【００１１】
図１は、本発明の実施の形態にかかる音声記録装置の構成を示すブロック図である。
【００１２】
マイクロコンピューター１は、装置全体の制御を行う。
【００１３】
ＲＯＭ（Ｒｅａｄ  Ｏｎｌｙ  Ｍｅｍｏｒｙ）２は、マイクロコンピューター１内にある装置の制御プログラムを格納する。ＲＯＭ２については、プログラムの書き換え・消去不可能なマスクＲＯＭであっても、プログラムの書き換え・消去可能なフラッシュメモリを含むＰＲＯＭ（Ｐｒｏｇｒａｍｍｂｌｅ  Ｒｅａｄ  Ｏｎｌｙ  Ｍｅｍｏｒｙ）であっても、本発明を実施するにあたっては、どちらでも問題はない。
【００１４】
ＲＡＭ（Ｒａｎｄｏｍ  Ａｃｃｅｓｓ  Ｍｅｍｏｒｙ）３は、マイクロコンピューター１内にある作業用のメモリ領域として制御プログラムの書き込み、読み出しを行う。
【００１５】
制御手段４は、中央演算装置、タイマカウンタ、割り込み機能などを備えた、音声記録装置全体の処理を司る処理手段である。制御手段４は、複数のクロックのいずれかひとつを利用して動作する。
【００１６】
音声レベル検出手段５は、音声レベルを計測する。
【００１７】
録音レベル設定手段６は、録音時の音声レベルを設定する。
【００１８】
音声圧縮・伸張手段７は、デジタル化された音声データの圧縮と伸張を行う。
【００１９】
クロック変更手段８は、マイクロコンピューター１の動作クロックを切り換える。
【００２０】
マイク９は、音声を電気信号に変換する。
【００２１】
イヤホン１０は、試聴または記録している音声データを聴くための手段である。
【００２２】
音声データ処理手段１１は、マイク９により入力されたアナログ音声データをデジタル音声データに変換する手段、マイクロコンピューター１より出力されるデジタル音声データをアナログ音声データに変換する手段、ノイズを除去するためのフィルタ等で構成される。
【００２３】
不揮発性メモリ１２は、音声データや装置に設定されている記録モード等の音声記録装置の各種パラメータを格納する。例えばＮＡＮＤフラッシュメモリである。
【００２４】
操作手段１３は、音声記録装置に対する指令を入力する。
【００２５】
表示手段１４は、音声記録装置の動作状態を表示する。
【００２６】
スピーカー１５は、試聴または記録している音声データを出力する手段である。
以下、以上のように構成されたデジタルＩＣレコーダーについて、動作の概要を説明する。本実施の形態のデジタルＩＣレコーダーは、マイク９を通して入力されたアナログ音声データをデジタル音声データに変換して不揮発性メモリ１２に記録する録音モードと、録音する前に、マイク９を通して入力されたアナログ音声データを視聴して、その音声レベルを計測する試聴モードの少なくとも２種類のモードを有する。
【００２７】
まず、試聴モードにおける、デジタルＩＣレコーダーの動作について説明する。
【００２８】
ユーザーは、操作手段１３により試聴モードに設定する。試聴モードに設定する方法としては、例えば、操作手段１３として、試聴モード専用キーを設けておく、他の機能が割り当てられているキーと共用して設けておく、等の構成が考えられる。
【００２９】
試聴モードに設定されると、クロック変更手段８は試聴モードで試聴用の動作クロックを設定する。試聴用の動作クロックを設定した後、音声データ処理手段１１はマイク９から入力されたアナログ音声データをデジタル音声データに変換する。マイクロコンピューター１内の音声レベル計測手段５は、変換されたデジタル音声データに対して音声レベルの計測を行う。
【００３０】
操作手段１３により試聴モードを終了する旨の指令が入力されると、制御手段４は音声レベル計測手段５による音声レベルの計測を終了する。録音レベル設定手段６は、試聴モードで計測された音声レベルのピーク値を録音レベルとしてマイクロコンピューター１内のＲＡＭ３内に保持する（ピーク値の算出方法については後述する）。
【００３１】
次に、録音モードにおける、デジタルＩＣレコーダーの動作について説明する。
【００３２】
ユーザーは、操作手段１３により録音動作の指令を行い、録音モードに設定する。制御手段４は、その指令により録音モードのための各種設定を行う。クロックの設定については、クロック変更手段８で録音モード用の動作クロックを設定する。録音レベル設定については、本録音モードの前に試聴モードで音声レベルを計測している場合には、録音レベル設定手段で記憶した録音レベルを録音モード時の録音レベルに設定し、試聴モードで音声レベルの計測を行っていない場合には、あらかじめユーザーが設定した録音レベルを録音モード時の録音レベルに設定する。
【００３３】
録音モードでの設定が完了したら、音声データ処理手段１１は、マイク９から入力されたアナログ音声データをデジタル音声データに変換する。変換されたデジタル音声データは、マイクロコンピューター１内の音声圧縮・伸張手段７により音声圧縮され、制御手段４により、不揮発性メモリ１２内にデジタル化された音声データを書き込む。ここで、音声圧縮・伸張手段７は、マイクロコンピューター１内にではなく、マイクロコンピューター１とは独立した構成要素として、マイクロコンピューター１外に構成されていても、本発明を実施する上では問題はない。
【００３４】
なお、音声圧縮とは、例えば、原音であるリニアＰＣＭ（Ｐｕｌｓｅ  Ｃｏｄｅ  Ｍｏｄｕｌａｔｉｏｎ）データをＭＰ３（ＭＰＥＧ−１  Ａｕｄｉｏ  Ｌａｙｅｒ−３）データ等の圧縮データに変換することを意味する。
【００３５】
なお、本発明の実施の形態に際しては、例えば、リニアＰＣＭレコーダーのような音声圧縮処理を施さない装置にも適用できるため、音声記録装置の構成として、音声圧縮・伸張手段７を備えていなくても良い。
【００３６】
また、試聴モードにおけるデジタルＩＣレコーダーの動作と録音モードにおけるデジタルＩＣレコーダーの動作は、前記のように別個の動作としなくても良い。例えば、制御手段４に入力される操作手段１３からの試聴モードを完了させるための指令が同時に、録音動作開始の指令をも意味するような指令とすることも可能である。このように装置を制御することで、操作手段１３による１回の指令で、試聴モードから録音モードへの切換を行うことが可能となる。
【００３７】
図２は本発明の実施の形態にかかる音声記録装置で入力される音声データ信号の概念図である。音声データ信号の波形は、様々な振幅をもつ信号の集合体であるため、その信号のピーク値を求めるためには、サンプリングする周期を限りなく短くして検出精度を高める必要がある。そこで、本発明の実施の形態では、音声データを不揮発性メモリに記録する録音モードの際に動作させているクロックと音声データを試聴する試聴モードの際に動作させているクロックとを使い分けている。つまり、試聴モード時の動作が、録音モード時の動作よりも高速に処理されるように、試聴モードで使用するクロック周波数は、録音モードで使用するクロック周波数より大きな値になるように設定される。これにより、試聴モード時には、録音モードでのサンプリング周期よりも短い周期で、音声データ信号における信号レベルのピーク値を検出することが可能となる。
【００３８】
図３は、試聴モードにおける音声レベルピーク値の判定方法を示すフローチャートである。
【００３９】
ステップＳ１では、操作手段１３によりユーザーからのキー入力操作を行う。
【００４０】
ステップＳ２では、キー入力操作が録音モード開始の操作なのか、試聴モード開始の操作なのかを判別する。入力された操作が録音モード開始の操作であればステップＳ３に進み、試聴モード開始の操作であればステップＳ５に進む。
【００４１】
ステップＳ３では、クロック変更手段８により、動作クロックを録音モード用のクロックに切り換え、ステップＳ４に進む。
【００４２】
ステップＳ４では、音声の録音処理を行う。
【００４３】
一方、ステップＳ５では、クロック変更手段８により、動作クロックを試聴モード用のクロックに切り換え、ステップＳ６に進む。
【００４４】
ステップＳ６では、音声レベルの初期値として、あらかじめ装置で設定しているデフォルト値をＲＡＭ３に書き込む。なお、このデフォルト値としては、ユーザーが予め設定しておいても良い。
【００４５】
ステップＳ７で、音声レベル計測手段５により、マイク９で入力された音声データの時刻ｔにおける音声レベルＬ（ｔ）を計測する。
【００４６】
ステップＳ８では、試聴モードを終了する操作があったか確認する。その操作が行われればステップＳ１２に進み、操作がなければステップＳ９に進む。
【００４７】
ステップＳ９では、ステップＳ７で計測された音声レベル値Ｌ（ｔ）とＲＡＭ３上に保存されている音声レベルピーク値Ｐ（前回までのピーク値）と比較する。ステップＳ７で計測された音声レベル値Ｌ（ｔ）がＲＡＭ３に記録された音声レベルピーク値Ｐよりも大きければ、ステップＳ１０に進み、ＲＡＭ３上の音声レベルピーク値Ｐ（＝Ｌ（ｔ））を書き換える。一方、計測された音声レベル値Ｌ（ｔ）がＲＡＭ３に記録された音声レベルピーク値Ｐよりも小さければ、ＲＡＭ３に記録された音声レベルピーク値Ｐは変更せずに、ステップＳ１１に進む。
【００４８】
ステップＳ１０でＲＡＭ３の値を書き換えられた後は、ステップＳ１１に進む。
【００４９】
ステップＳ１１では、一定時刻Δｔ分だけ後の時刻ｔ＋Δｔを新たな計測時刻ｔとして、ステップＳ７に戻り、音声レベル判定処理を継続する。
【００５０】
ステップＳ１２では、この時点でＲＡＭ３上に書き込まれている音声レベルピーク値Ｐを録音レベル設定手段６で設定される録音レベル設定値としてＲＡＭ３上の音声レベルピーク値Ｐとは別の領域に書き込み、処理を終了する。
【００５１】
なお、録音レベル設定値は、ＲＡＭ３上に書き込んでも良いし、不揮発性メモリ１２内に書き込んでも良い。
【００５２】
なお、ステップＳ８では、試聴モードを終了する操作があったか確認しているが、予め音声レベルを計測すべき回数を決めておき、その回数分だけ計測したかどうかを確認しても良い。
【００５３】
試聴モードを終了した後、制御手段４は、ステップＳ１２で決定した録音レベルに応じて、マイクから入力された音声データを不揮発性メモリ１２に記録する。
【産業上の利用可能性】
【００５４】
本発明は、音声記録装置に関するものであって、録音開始前にあらかじめ音声レベルのピーク値を計測し、そのピーク値から最適となる録音レベル値を設定することができるため、録音しようとする音声レベルの高低に関わらず、最適な状況下での録音機能を提供できる。そのため、本発明は、楽器演奏などの録音、騒々しい場所での録音、会議・講演の録音等に用いる音声記録装置として、さまざまな環境下での録音用途に適用できる。
【符号の説明】
【００５５】
１    マイクロコンピューター
２    ＲＯＭ
３    ＲＡＭ
４    制御手段
５    音声レベル計測手段
６    録音レベル設定手段
７    音声圧縮・伸張手段
８    クロック変更手段
９    マイク
１０    イヤホン
１１    音声データ処理手段
１２    不揮発性メモリ
１３    操作手段
１４    表示手段
１５    スピーカー
【図１】
2011205309.tif 000003
【図２】
2011205309.tif 000004
【図３】
2011205309.tif 000005